(57)【要約】【課題】  この発明は、簡易な構造で、シート状商品を芯管の周りに巻きつけたロール状物品の商品の数量を表示することを目的とする。【解決手段】  芯管３の周りにシート状商品２を巻きつけたロール状物品１に関する情報を表示する側面表示板１０であって、前記芯管３の開口部に相当する貫通孔１５と、前記情報として前記シート状商品２の数量を表示する残量表示面１４と、前記情報として前記シート状商品２の商品情報を表示する商品情報表示面１３を備えた。【選択図】    図２
2006158408.tif 000002
【特許請求の範囲】
【請求項１】
芯管の周りにシート状商品を巻きつけたロール状物品に関する情報を表示する表示器であって、
前記芯管の開口部に相当する貫通孔と、
前記情報として前記シート状商品の数量を表示する数量表示部とを備えた
表示器。
【請求項２】
前記情報として前記シート状商品の商品情報を表示する商品情報表示部を備えた
請求項１に記載の表示器。
【請求項３】
前記貫通孔に前記芯管を装着する装着部を備えた
請求項１または２に記載の表示器。
【請求項４】
前記数量表示部を備えた本体部を板状部材で形成し、
前記板状部材に、前記貫通孔と前記板状部材の外縁部とを結ぶ切込み部を形成した
請求項１、２又は３に記載の表示器。
【発明の詳細な説明】
【技術分野】
【０００１】
この発明は、例えばシート状商品を芯管の周りに巻きつけたロール状物品の商品の数量を表示するような表示器に関する。
【背景技術】
【０００２】
従来から、図７に示すように、シート状商品１０２を中空の芯管１０３の周りに巻きつけたロール状物品１０１は、掛止パイプ１０４を芯管１０３に貫通させて掛止するラック１０５によって展示販売している。
【０００３】
ラック１０５は、左右の側板１０６に備えた掛止溝１０７に掛止パイプ１０４を掛止しており、シート状商品１０２は、掛止パイプ１０４を軸として、ロール状物品１０１を回転させて引き出すことができる。また、ロール状物品１０１を取り替える際は、掛止パイプ１０４とともにロール状物品１０１をラック１０５から取出して交換する。また、ラック１０５には、複数のロール状物品１０１を掛止できるため、複数種のシート状商品１０２を展示することができる。
【０００４】
ラック１０５は、シート状商品１０２を実際に触れることができ、必要な数量のみを切り出して購入できるため、販売者にとっても消費者にとって非常に便利な展示手段である。
【０００５】
しかし、シート状商品１０２はロール状に巻かれているため、シート状商品１０２が何メートル残っているかは正確に把握できず、販売者にとって複数種あるロール状のシート状商品１０２の在庫量を確認することは困難であった。在庫量の確認は、販売店にとって営業実績把握、売れ筋分析等のデータに必要であり、営業状況分析に欠かせない棚卸を行うために多くの時間と労力を必要としていた。
【０００６】
また、ラック１０５には、複数のロール状物品１０１を展示しているため、それぞれのシート状商品１０２の情報は、表示プレート１０８や表示タグ１０９で示していた。しかし、表示プレート１０８の場合、側板１０６の側面の各掛止溝１０７の間に貼り付けるため、消費者がそれぞれのシート状商品１０２と表示プレート１０８との対応を間違いやすく、正確な情報を伝達することが困難であった。また、表示タグ１０９の場合は、掛止パイプ１０４に係止するため消費者がそれぞれのシート状商品１０２と表示タグ１０９との対応を間違うことはないものの、シート状商品１０２の引き出し中に引っ掛けて損傷を受けたり、掛止パイプ１０４から外れて紛失する惧れがあった。
【０００７】
一方、ロール紙の残量とその種類を検出するため技術として、以下のような装置が提案されている（特許文献１参照）。
【０００８】
この装置は、感熱ロール紙を用いて印刷する印刷装置に用いられる装置であって、ロール紙の側面にマーク表示部材を備え、ロール紙の側方のセンサにて、マークを読み取ることでロール紙の種別を判別し、ロール紙が引き出された場合のロール紙の周速度を読み取り、ロール紙の残量を判断するものである。
【０００９】
しかし、前記装置は、上述したようにロール紙の側方にマークを読み取るためのセンサと、センサの読み取った読取結果を演算する演算部とが必要となるため高価なものであった。  
また、前もって、演算部にロール紙の種別による肉厚を記憶させておく必要があった。  
また、センサでロール紙の側方のマークを読み取るため、ロール紙の回転中心が確定する必要があった。  
上記理由により、ロール状物品１０１の残量を確認するために当該装置は適さないものであった。
【００１０】
【特許文献１】特開２００１−１８７６６２号公報
【発明の開示】
【発明が解決しようとする課題】
【００１１】
この発明は、簡易な構造で、シート状商品を芯管の周りに巻きつけたロール状物品の商品の数量を表示することを目的とする。
【課題を解決するための手段】
【００１２】
この発明は、芯管の周りにシート状商品を巻きつけたロール状物品に関する情報を表示する表示器であって、前記芯管の開口部に相当する貫通孔と、
前記情報として前記シート状商品の数量を表示する数量表示部とを備えた
表示器であることを特徴とする。
【００１３】
前記シート状物品は、クッションシート、フロアシート、ビニールシート、不織布、クロス、壁紙、ネット、カーペット、ロール紙、ロール感熱紙等を含む。  
前記芯管は、断面内形を円形や略多角形等で形成し、断面外形を円形や略多角形等で形成した筒状体であることを含む。
【００１４】
前記芯管の開口部に相当する貫通孔とは、芯管の断面外形と略同一形状、断面外形に適合する形状、断面外形より大きい形状、芯管の断面内形と略同一形状、断面内形に適合する形状、断面内形より小さい形状で形成していることを含む。  
前記シート状商品の数量とは、シート状商品の残量や販売等によって使用した使用量を含む。
【００１５】
これにより、芯管に掛止パイプを挿入してシート状商品が引き出せるように展示した状態のままシート状商品の残量を表示することができる。したがって、棚卸作業の効率化を図ることができる。
【００１６】
この発明の態様として、前記情報として前記シート状商品の商品情報を表示する商品情報表示部を備えることができる。
【００１７】
前記シート状商品の商品情報とは、シート状商品の名称、特長、機能、効果、値段、使用方法、使用例写真、使用注意、会社広告等の情報を含む。
【００１８】
これにより、複数のロール状物品を展示する状態で、それぞれの商品情報を個別に示すことができる。したがって、消費者が間違った商品情報を得ることを防止できる。
【００１９】
また、この発明の態様として、前記貫通孔に前記芯管を装着する装着部を備えることができる。
【００２０】
前記貫通孔に前記芯管を装着するとは、貫通孔と芯管の中空部分とが連通し、表示器を芯管の側面に装着すること、または貫通孔に芯管を挿通させて表示器を装着することを含む。  
前記芯管を装着する装着部は、芯管の中空部分に一部を挿入する装着部、芯管の外周部分に装着する装着部であることを含む。  
また、装着部が、表示器と一体形成されていること、または別体で形成されていることを含む。
【００２１】
これにより、表示器を芯管に装着することができる。従って、シート状商品の残量に関係なく、ロール状物品に表示器を安定して装着することができる。  
また、それぞれのシート状商品の商品情報や肉厚に適応する残量表示手段が表示された表示器を装着することができるとともに、表示器の紛失を防止できる。
【００２２】
また、この発明の態様として、前記数量表示部を備えた本体部を板状部材で形成し、前記板状部材に、前記貫通孔と前記板状部材の外縁部とを結ぶ切込み部を形成することができる。
【００２３】
前記板状部材は、厚紙、プラスチック板、発泡スチロール板、木板等の自立するための適宜の強度を有する部材であることを含む。  
前記切込み部は、直線、曲線、ジグザク状等の適宜の形状で前記貫通孔と前記板状部材の外縁部とを結ぶ、線状の切込みや適宜の幅を有する切り欠きで形成することを含む。  
また、装着部と前記板状部材とで構成されている場合は、装着部と前記板状部材との両方に切込み部を備えることを含む。
【００２４】
これにより、芯管に掛止パイプを挿入してシート状商品が引き出せるように展示した状態のまま、切込み部に掛止パイプを通過させて貫通孔まで誘導し、表示器をロール状物品に装着することができる。  
また、ロール状物品の側面とラックの側板との間隔が狭い場合であっても表示器を装着することができる。
【発明の効果】
【００２５】
この発明によれば、簡易な構造で、シート状商品を芯管の周りに巻きつけたロール状物品の商品の数量を表示することができる。
【発明を実施するための最良の形態】
【００２６】
この発明の一実施形態を以下図面と共に説明する。  
展示状態の側面表示板１０を装着したロール状物品１の斜視図を示す図１、側面表示板１０を装着したロール状物品１の斜視図を示す図２とともに、側面表示板１０とロール状物品１について説明する。
【００２７】
ロール状物品１は、中空の芯管３の周りにシート状商品２を巻きつけて構成している。なお、芯管３は、巻きつけるシート状商品２に合わせて適宜の肉厚および適宜の直径を有する紙製の円筒形で形成している。
【００２８】
また、シート状商品２は、１．８ｍｍ、２．０ｍｍ、３．５ｍｍ等の適宜の肉厚を有する幅９００ｍｍのクッションシートである。なお、シート状商品２は、これに限定されず、１ｍｍ以下のビニールシート、肉厚が１０ｍｍ程度となる人工芝シートであってもよく、また、１０００ｍｍや１８００ｍｍの幅を有するシートであってもよい。
【００２９】
ちなみに、シート状商品２を巻きつけた状態のロール状物品１のサイズは、シート状商品２の肉厚や残量によって異なるが、展示方法の制限よりおよそ３００ｍｍ以下であることが多い。  
側面表示板１０は、円盤部１１と固定具１２で形成され、ロール状物品１の両側面に備えられている。  
なお、円盤部１１の外側面が商品情報表示面１３となり、ロール状物品１側の内側の残量表示面１４が芯管３に巻きつけたシート状商品２の側面とほぼ平行な面となるようにロール状物品１に装着している。
【００３０】
また、円盤部１１は、まだシート状商品２が切り取られて販売されていない納入状態のロール状物品１において、巻きつけられたシート状商品２の最外周より大きな円形で形成するとともに、円盤部１１の自重でたわまない程度の適宜の強度及び適宜の強度の肉厚を有する厚紙で形成している。なお、円盤部１１は、これに限定されずプラスチック板、発泡スチロール板、木板等で形成してもよい。  
また、固定具１２は貫通孔２０とフランジ２１とを有する樹脂製の略円筒形状で形成している。
【００３１】
図２に示すような芯管３にシート状商品２を巻きつけ、芯管３の両側部に側面表示板１０を備えたロール状物品１は、芯管３に掛止パイプ４を挿入し、貫通した掛止パイプ４の両側部を側板６に備えた掛止溝７に掛止することで、図１で示すようにラック５に展示することができる。
【００３２】
なお、ラック５に掛止している複数のロール状物品１は、それぞれのシート状商品２の種類が異なり、それぞれのロール状物品１に装着している側面表示板１０は、それぞれのシート状商品２に適した商品情報を表示するとともに、それぞれのシート状商品２の肉厚に適した残量表示を備えている。
【００３３】
また、消費者はシート状商品２を直接見みながら好みのシート状商品２を選別し、ロール状物品１を掛止パイプ４を中心として回転させて、必要な数量のシート状商品２を引き出し、裁断して購入することができる。
【００３４】
次に、円盤部１１の説明図を示す図３とともに円盤部１１について説明する。  
円盤部１１の中心には芯管３（図２）の内面と略同一の貫通孔１５を備えるとともに、円盤部１１の一面を図３（ａ）で示す商品情報表示面１３とし、反対面を図３（ｂ）で示す残量表示面１４としている。  
商品情報表示面１３には、図３（ａ）で示すようにシート状商品２の特長、機能を示す文字表示１３ａが印刷されているが、表示内容はこれに限定されず、シート状商品の名称、特長、機能、効果、値段、使用方法、使用例写真、使用注意、会社広告等の情報を印刷してもよいし、貼り付けてもよい。  
残量表示面１４には、円盤部１１の中心から半径方向に外縁部に向かう４本の寸法線１６と、貫通孔１５と同心円であり、内側から順にそれぞれの間隔が狭まるように配置された複数の円形補助線１８と、各円形補助線１８の間を５分するとともに寸法線１６に配した寸法補助線１７を備えている。
【００３５】
なお、４本の寸法線１６は貫通孔１５の中心に対してそれぞれ９０度ずつ回転した位置に配している。  
また、円形補助線１８上には内側から順に５ｍ、１０ｍ、１５ｍ、・・・との数値表記１９が付されている。
【００３６】
なお、それぞれの円形補助線１８の位置、間隔および数値表記１９は、シート状商品２の肉厚によって異なるが、残量表示面１４が表示するシート状商品２に適する間隔で内側から順に狭まり、残量を測定する数値表記１９は内側から順に数字が大きくなる。また、数値表記１９を内側から順に数字が小さくなる構成とすると、シート状商品２の使用量を測定することができる。
【００３７】
また、寸法補助線１７は、５ｍごとに表示する円形補助線１８のそれぞれの間隔を５分しているため、芯管３（ｂ）に示す寸法補助線１７の１目盛りは１ｍを指すこととなる。
【００３８】
続いて、側面表示板１０の装着部分の拡大断面図を示す図４ととともに、側面表示板１０、円盤部１１、固定具１２について説明する。  
固定具１２は、芯管３の内面と略同一の外周を有する挿入部２２と、円盤部１１を芯管３の側面に押さえるフランジ２１と、固定具１２を着脱する際に握持する握持部２３と、掛止パイプ４（図１）が挿入される貫通孔２０とで構成されている。
【００３９】
円盤部１１をロール状物品１に装着する際には、円盤部１１を貫通孔１５が芯管３の内面と一致するように配置し、挿入部２２が貫通孔１５を貫通して芯管３の内面３ａに挿入する。  
なお、固定具１２は挿入部２２の外周面と芯管３の内面３ａとの摩擦によって、芯管３に固定される。また、フランジ２１が円盤部１１を芯管３の側面に押さえつけるとともに、残量表示面１４が芯管３に巻きつけたシート状商品２の側面に接触するように装着される。
【００４０】
このようにして、図２に示すように側面表示板１０がロール状物品１に装着された状態で、残量表示面１４に表示された寸法線１６、寸法補助線１７、円形補助線１８のうち、残存するシート状商品２の外側で視認できる寸法線１６、寸法補助線１７、円形補助線１８を確認することで、シート状商品２の残量を測定することができる。
【００４１】
上記構成により、消費者は、ラック５に掛止された複数のロール状物品１の中から、シート状商品２を直接見みながら好みのシート状商品２を選別する際に、それぞれのロール状物品１に装着された側面表示板１０に表示されたそれぞれのシート状商品２の特長、機能等の商品情報を参考に選別することができる。
【００４２】
したがって、より具体的な使用状況をイメージしながら選別することができるため、消費者の満足度を向上することができる。  
また、それぞれのシート状商品２に適した側面表示板１０をロール状物品１に装着しているため、消費者が違う商品の商品情報を間違って参考にすることを防止できる。
【００４３】
また、販売者は、図１に示すようなロール状物品１をラック５に掛止した状態で、シート状商品２の残量を容易に測定することができ、棚卸のための時間と労力を削減することができる。また、シート状商品２の残量を容易に把握できるため、適切な在庫調整を容易にできる。
【００４４】
なお、例えば芯管３の端部がシート状商品２の側面より突出する場合、装着状態の残量表示面１４とシート状商品２の側面とが接触しないが、この場合は、シート状商品２の残量を測定する際に、シート状商品２に沿うような位置から残量表示面１４を確認することによって誤差を低減することができる。
【００４５】
また、図５に示すように固定具１２’と、商品情報表示面１３（図示省略）と、残量表示面１４（図示省略）とを備えた円盤部１１’とを一体形成し、貫通孔２０’に芯管３を貫通させ、芯管３に備えた係止孔３ｂに貫通孔２０’の内面から突出したフック２５を係止させて固定してもよい。
【００４６】
また、図６に示すように、円盤部１１に、円盤部１１の外縁部と貫通孔１５とを結ぶスリット３０を備え、固定具１２にも外面と内面とを貫通するスリット３０を備えてもよい。  
これにより、スリット３０の両側の円盤部１１を開くようにして、スリット３０の間に掛止パイプ１０４（図７）を通過させ、掛止パイプ１０４が貫通孔１５内になるように、貫通孔１５の内面を芯管１０３の外面に当接させて装着し、また同様に、固定具１２をスリット３０から開くようにして貫通孔２０に掛止パイプ１０４を挿通し、貫通孔２０の内面が芯管１０３の外面に当接するように装着することができる。
【００４７】
従って、図７に示すようにラック１０５に掛止した状態のロール状物品１０１であっても、上述したように円盤部１１を固定具１２でロール状物品１０１の芯管１０３に装着することができる。
【００４８】
また、側面表示板１０を円盤部１１のみで構成し、貫通孔１５に芯管３を貫通させ、円盤部１１の残量表示面１４と巻きつけた状態のシート状商品２の側面とを軟接着して固定してもよい。
【００４９】
また、残量表示面１４の各円形補助線１８の間を色分けして着色してもよい。  
これにより、販売者は、残量表示面１４を凝視せずともよく、遠くからでもシート状商品２の残量を確認することができる。特に、シート状商品の種類にかかわらず、残量に応じた色を設定すれば、販売者は数値表記１９を確認せずとも正確な残量を把握することができる。
【００５０】
また、２枚の円形透明部材を重ね合わせ、重ね合わせた２枚の円形透明部材の外縁部のうち半周分を固着させて形成した表示シート収納部を有する円形透明ケースと、固定具１２と、表示シート収納部に挿入する表示シートとで、側面表示板１０を構成してもよい。なお、この場合も、上述したように円形透明ケースに貫通孔１５を備えるとともに、表示シートも円形透明ケースの貫通孔１５と同一貫通孔１５を備えて形成する。  
これによって、シート状商品２に適した商品情報および寸法線１６、寸法補助線１７、円形補助線１８が印刷された表示シートを入れ替えるだけで、複数種のロール状物品１に対応することができる。
【００５１】
また、シート状商品２を引き出すためにロール状物品１を回転した際に側面表示板１０もともに回転するため、商品情報表示面１３の表示が回転することによって、消費者の購買意欲を喚起させる模様で構成してもよい。  
これによって、消費者の購買意欲を向上させることができ、商品販売力を向上させることができる。
【００５２】
また、側面表示板１０を円盤部１１と固定具１２で構成するとともに、固定具１２に対して円盤部１１を回転可能に取り付け、円盤部１１の一部にウェイトを取り付けてもよい。  
これにより、シート状商品２を引き出すためにロール状物品１を回転させても、側面表示板１０はともに回転せず、商品情報表示面１３の表示方向を一定に保つことができる。
【００５３】
また、適宜の厚みを有する円形部材で円盤部１１を形成し、その周面に文字表示１３ａのような商品情報を施してもよい。  
これにより、消費者の購買意欲をさらに向上させることができ、商品販売力をさらに向上させることができる。
【００５４】
この発明の構成と、上述の実施形態との対応において、
この発明の表示器は、側面表示板１０に対応し、
以下同様に、
数量表示部は、残量表示面１４に対応し、
商品情報表示部は、商品情報表示面１３に対応し、
装着部は、固定具１２に対応し、
板状部材は、円盤部１１に対応し、
切込み部は、スリット３０に対応するも、
この発明は、上述の実施形態の構成のみに限定されるものではなく、多くの実施の形態を得ることができる。
【図面の簡単な説明】
【００５５】
【図１】展示状態の側面表示板を装着したロール状物品の斜視図。
【図２】側面表示板を装着したロール状物品の斜視図。
【図３】円盤部の説明図。
【図４】側面表示板の装着部分の拡大断面図。
【図５】他の実施例の側面表示板の装着部分の拡大断面図。
【図６】他の実施例の円盤部の斜視図。
【図７】従来の展示状態のロール状物品の斜視図。
【符号の説明】
【００５６】
１…ロール状物品
２…シート状商品
３…芯管
１０…側面表示板
１１…円盤部
１２…固定具
１３…商品情報表示面
１４…残量表示面
１５、２０…貫通孔
３０…スリット
【図１】
2006158408.tif 000003
【図２】
2006158408.tif 000004
【図３】
2006158408.tif 000005
【図４】
2006158408.tif 000006
【図５】
2006158408.tif 000007
【図６】
2006158408.tif 000008
【図７】
2006158408.tif 000009